(57)【要約】【課題】  電子入力部品１は解除ボタン７９の他にロックバネ６９を具備することによって、第２操作つまみ４７をロック状態・フリー状態にする。【解決手段】  カバー１３の表面に円弧状のガイド長穴１７が貫通して形成されてあって、カバー１３の表面にガイド長穴１７の曲率中心と同じ曲率中心を基点とした円弧状の挿通長穴２３が貫通して形成され、カバーの裏面に複数のロック用被係合部２５が形成され、ロックバネ６９の両端部が脚部４９に一体的に連結され、ロックバネ６９にはロック用係合部１３１及び被押圧片７５を有していること。【選択図】    図１
2005123019.tif 000002
【特許請求の範囲】
【請求項１】
電気機器に用いられ、かつ入力操作をするための電子入力部品において、
部品ベースと、
前記部品ベースに一体的に設けられ、表面に円弧状のガイド長穴が貫通して形成されてあって、表面に前記ガイド長穴の曲率中心と同じ曲率中心を基点とした円弧状の挿通長穴が貫通して形成され、更に、裏面に前記挿通長穴に沿って並んだ複数のロック用被係合部が形成されたカバーと、
前記カバーに回転可能に設けられ、前記ガイド長穴に案内される脚部、及びボタン収容部を有した操作つまみと、
端部が前記脚部に一体的に連結され、全体が弾性変形可能に構成されてあって、前記ロック用被係合部に係合・離脱可能なロック用係合部、及び前記挿通長穴から前記操作つまみ側へ突出する被押圧片を有したロックバネと、
前記ボタン収容部に収容され、頭部が前記ボタン収容部から突出してあって、前記被押圧片を前記部品ベース側へ押圧する解除ボタンと、
を具備してなることを特徴とする電子入力部品。
【請求項２】
前記カバーの表面に前記ガイド長穴の曲率中心と同じ中心を基点として円弧状に並んだ複数のクリック用被遊嵌部が形成されてあって、
前記操作つまみに設けられ、弾性変形によって前記クリック用遊嵌部に遊嵌・離脱可能なクリック用遊嵌突起を有したクリック作動部材を具備し、
更に、前記クリック用遊嵌突起がいずれかの前記クリック用被遊嵌部に遊嵌したときに前記前記ロック用係合部がいずれかの前記ロック用被係合部に係合できるように構成されことを特徴とする請求項１に記載の電子入力部品。
【請求項３】
部品ベースと、
前記部品ベースに一体的に設けられ、表面にガイド長穴が貫通して形成されてあって、表面に前記ガイド長穴に平行な挿通長穴が貫通して形成され、更に、裏面に前記挿通長穴に沿って並んだ複数のロック用被係合部が形成されたカバーと、
前記カバーに前記ガイド長穴に沿ってスライド可能に設けられ、前記ガイド長穴に案内される脚部、及びボタン収容部を有した操作キーと、
端部が前記脚部に一体的に連結され、全体が弾性変形可能に構成されてあって、前記挿通長穴から前記操作キー側へ突出する被押圧片、及び前記ロック用被係合部に係合可能なロック用係合部を有したロックバネと、
前記ボタン収容部に収容され、頭部が前記ボタン収容部から突出してあって、前記被押圧片を前記部品ベース側へ押圧する解除ボタンと、
を具備してなることを特徴とする電子入力部品。
【請求項４】
前記カバーの表面に前記ガイド長穴に沿って並んだ複数のクリック用被遊嵌部が形成されてあって、
前記操作キーに設けられ、弾性変形によって前記クリック用遊嵌部に遊嵌・離脱可能なクリック用遊嵌突起を備えたクリック作動部材を具備し、
更に、前記クリック用遊嵌突起がいずれかの前記クリック用被遊嵌部に遊嵌したときに前記前記ロック用係合部がいずれかの前記ロック用被係合部に係合できるように構成されたことを特徴とする請求項３に記載の電子入力部品。
【請求項５】
前記ロックバネの中央部に、前記カバーの裏面側に向かって突出するように段付き状に構成された係合片を有してあって、
前記係合片に前記ロック用被係合部が形成され、前記係合片の先端部に前記被押圧片が一体形成されていることを特徴とする請求項１から請求項４のうちのいずれかの請求項に記載の電子入力部品。
【請求項６】
前記クリック用被係合部はロック用被係合ボスであって、前記クリック用係合部はロック用係合穴であることを特徴とする請求項１から請求項５のうちのいずれかの請求項に記載の電子入力部品。
【請求項７】
前記部品ベースに設けられ、導電性のスイッチパターンを有した配線板と、
前記脚部に一体的に設けられ、前記カバー内に位置してあって、前記スイッチパターン上を摺動可能な摺動端子を有したスイッチ作動部材と、を具備したことを特徴とする請求項１から請求項６のうちのいずれかの請求項に記載の電子入力部品。
【発明の詳細な説明】
【技術分野】
【０００１】
本発明は、ビデオカメラ、デジタルカメラ等の電気機器に用いられ、かつスイッチ操作等の入力操作をするための電子入力部品に関する。
【背景技術】
【０００２】
ビデオカメラ、デジタルカメラ等の電気機器に用いられる従来の電子入力部品について図１０及び図１１を参照して説明する。
【０００３】
図１０は、従来の電子入力部品の模式的な断面図であって、図１１は、図１０における矢視部IVの拡大図である。
【０００４】
図１０及び図１１に示すように、従来の電子入力部品２０１はスイッチ操作（入力操作の一つ）をするための部品であって、部品ベース２０３を具備している。部品ベース２０３には、配線板２０５が設けられてあって、この配線板２０５はスイッチパターン（図示省略）を有している。
【０００５】
部品ベース２０３には、配線板２０５の一部を覆うカバー２０７が一体的に設けられており、カバー２０７の表面には、一対の円弧状のガイド長穴２０９及び複数のロック用被係合穴（ロック用被係合部）２１１が形成されている。ここで、複数のロック用被係合穴２１１は、ガイド長穴２０９の曲率中心と同じ曲率中心を基点とした円弧に沿って並んでいる。
【０００６】
カバー２０７の表面には、操作つまみ２１３が回転可能に設けられており、操作つまみ２１３は、ガイド長穴２０９に案内される一対の脚部２１５、及びボタン収容部２１７を有している。また、一対の脚部２１５には、スイッチ作動部材２１９が一体的に設けられており、このスイッチ作動部材２１９は、カバー２０７内に位置してあって、前記スイッチパターン上を摺動する摺動端子２２１を有している。
【０００７】
操作つまみ２１３におけるボタン収容部２１７の近傍には、ロックアーム２２３が揺動軸２２５を中心として揺動可能に設けられており、ロックアーム２２３の一端部には、ロックピース２２７が設けられてあって、このロックピース２２７は、ロック用被係合穴２１１に係合・離脱可能なロック用係合ボス（ロック用係合部）２２９を有している。また、操作つまみ２１３におけるボタン収容部２１７の近傍には、ロックピース２２７（換言すればロックアーム２２３の一端部）を部品ベース２０３側へ弾性力によって付勢するスプリング２３１が設けられており、ボタン収容部２１７には、ロックアーム２２３の他端部を部品ベース２０３側へ押圧する解除ボタン２３３が収容されてあって、この解除ボタン２３３の頭部はボタン収容部２１７から突出してある。
【０００８】
従って、解除ボタン２３３の頭部を押して、解除ボタン２３３によりロックピース２２７を部品ベース２０３側へ押圧することにより、ロックアーム２２３の一端部が部品ベース２０３から離れるように、ロックアーム２２３がスプリング２３１の弾性力（付勢力）に抗しつつ揺動軸２２５を中心として揺動する。これにより、ロック用係合ボス２２９を適宜のロック用被係合穴２１１から離脱させて、操作つまみ２１３のロック状態を解除して、操作つまみ２１３をカバー２０７に対して回転可能なフリー状態にすることができる。
【０００９】
そして、解除ボタン２３３の頭部を押しつつ、操作つまみ２１３を回転させることにより、スイッチ作動部材２１９が操作つまみ２１３と一体的に回転して、摺動端子２２１を前記スイッチパターン上を摺動する。これにより、前記スイッチパターンと摺動端子２２１との電気的な接続状態を切り替わって、スイッチ操作をすることができる。
【００１０】
更に、解除ボタン２３３による押圧状態を解除することにより、スプリング２３１の弾性力（付勢力）によって、ロックアーム２２３の一端部が部品ベース２０３に接近するように、ロックアーム２２３が揺動軸２２５を中心として揺動する。これにより、ロック用係合ボス２２９を所定のロック用被係合穴２１１に係合させて、操作つまみ２１３をカバー２０７に対して回転不能なロック状態にすることができる。
【００１１】
なお、本発明に関連する先行技術として特許文献１に示すものがある。
【特許文献１】特開２００１−１８４９７６号公報
【発明の開示】
【発明が解決しようとする課題】
【００１２】
ところで、前述のように、操作つまみ２１３をロック状態・フリー状態にするには、電子入力部品２０１は、解除ボタン２３３の他に、ロックアーム２２３、ロックピース２２７、スプリング２３１を構成部材として具備する必要である。そのため、電子入力部品２０１の構成部材が増えて、電子入力部品２０１の構成が複雑化すると共に、電子入力部品２０１の生産性が低下するという問題がある。
【００１３】
なお、前述の問題は、操作つまみ２１３が回転するタイプの電子入力部品２０１のみならず、操作つまみがスライドするタイプの電子入力部品についても生じるものである。
【課題を解決するための手段】
【００１４】
請求項１に記載の発明にあっては、電気機器に用いられ、かつ入力操作をするための電子入力部品において、
部品ベースと、
前記部品ベースに一体的に設けられ、表面に円弧状のガイド長穴が貫通して形成されてあって、表面に前記ガイド長穴の曲率中心と同じ曲率中心を基点とした円弧状の挿通長穴が貫通して形成され、更に、裏面に前記挿通長穴に沿って並んだ複数のロック用被係合部が形成されたカバーと、
前記カバーに回転可能に設けられ、前記ガイド長穴に案内される脚部、及びボタン収容部を有した操作つまみと、
端部が前記脚部に一体的に連結され、他端部が他方の脚部に一体的に連結され、全体が弾性変形可能に構成されてあって、前記ロック用被係合部に係合・離脱可能なロック用係合部、及び前記挿通長穴から前記操作つまみ側へ突出する被押圧片を有したロックバネと、
前記ボタン収容部に収容され、頭部が前記ボタン収容部から突出してあって、前記被押圧片を前記部品ベース側へ押圧する解除ボタンと、を具備してなることを特徴とする。
【００１５】
なお、前記脚部に前記ロックバネの端部が連結されとは、前記脚部に前記ロックバネの端部が一体的に直接連結されたことの他に、前記脚部に一体的に設けられた中間部材（例えばスイッチ作動部材等）に前記ロックバネの端部が一体的に連結されたことを含む意である。
【００１６】
請求項１に記載の発明特定事項によると、前記解除ボタンの頭部を押して、前記解除ボタンにより前記被押圧片を前記部品ベース側へ押圧することにより、前記ロックバネ全体を前記部品ベース側へ弾性変形させる。これにより、前記ロック用係合部を適宜の前記ロック用被係合部から離脱させて、前記操作つまみのロック状態を解除して、前記操作つまみを前記カバーに対して回転可能なフリー状態にすることができる。
【００１７】
そして、前記解除ボタンの頭部を押しつつ、前記操作つまみを回転させることにより、入力操作をすることができる。更に、前記解除ボタンによる押圧状態を解除することにより、前記ロックバネ全体を前記部品ベースから離れるように弾性変形させて、前記スイッチ作動部材に対する元の位置に復帰させる。これにより、前記ロック用係合部を所定の前記ロック用被係合部に係合させて、前記操作つまみを前記カバーに対して回転不能なロック状態にすることができる。
【００１８】
ここで、前記カバーには、前記挿通長穴及び複数の前記ロック用被係合部が形成されてあって、前記ロックバネ全体が弾性変形可能に構成され、前記ロックバネが前記被押圧片及び前記ロック用係合部を有しているため、前記電子入力部品は前記解除ボタンの他に前記ロックバネを具備すれば、前述のように前記操作つまみをロック状態・フリー状態にすることができる。
【００１９】
請求項２に記載の発明にあっては、請求項１に記載の発明特定事項の他に、前記カバーの表面に前記ガイド長穴の曲率中心と同じ中心を基点として円弧状に並んだ複数のクリック用被遊嵌部が形成されてあって、
前記操作つまみに設けられ、前記クリック用遊嵌部に弾性変形によって遊嵌・離脱可能なクリック用遊嵌突起を有したクリック作動部材を具備し、
更に、前記クリック用遊嵌突起がいずれかの前記クリック用被遊嵌部に遊嵌したときに前記前記ロック用係合部がいずれかの前記ロック用被係合部に係合できるように構成されたことを特徴とする。
【００２０】
請求項２に記載の発明特定事項によると、請求項１に記載の発明特定事項による作用の他に、前記解除ボタンの頭部を押しつつ、前記操作つまみを回転させることにより、前記クリック作動部材が一体的に回転して、前記クリック用遊嵌突起が弾性変形しつつ所定の前記クリック用被遊嵌部に遊嵌する。これにより、前記電子入力部品によって入力操作を行う際にクリック感を得ることができる。
【００２１】
請求項３に記載の発明にあっては、部品ベースと、
前記部品ベースに一体的に設けられ、表面にガイド長穴が貫通して形成されてあって、表面に前記ガイド長穴に平行な挿通長穴が貫通して形成され、更に、裏面に前記挿通長穴に沿って並んだ複数のロック用被係合部が形成されたカバーと、
前記カバーに前記ガイド長穴に沿ってスライド可能（移動可能）に設けられ、前記ガイド長穴に案内される脚部、及びボタン収容部を有した操作キーと、
端部が前記脚部に一体的に連結され、他端部が他方の脚部に一体的に連結され、全体が弾性変形可能に構成されてあって、前記挿通長穴から前記操作キー側へ突出する被押圧片、及び前記ロック用被係合部に係合可能なロック用係合部を有したロックバネと、
前記ボタン収容部に収容され、頭部が前記ボタン収容部から突出してあって、前記被押圧片を前記部品ベース側へ押圧する解除ボタンと、
を具備してなることを特徴とする。
【００２２】
なお、前記脚部に前記ロックバネの端部が連結されとは、前記脚部に前記ロックバネの端部が一体的に直接連結されたことの他に、前記脚部に一体的に設けられた中間部材（例えばスイッチ作動部材等）に前記ロックバネの端部が一体的に連結されたことを含む意である。
【００２３】
請求項３に記載の発明特定事項によると、前記解除ボタンの頭部を押して、前記解除ボタンにより前記被押圧片を前記部品ベース側へ押圧することにより、前記ロックバネ全体を前記部品ベース側へ弾性変形させる。これにより、前記ロック用係合部を適宜の前記ロック用被係合部から離脱させて、前記操作キーのロック状態を解除して、前記操作キーを前記カバーに対してスライド可能（移動可能）なフリー状態にすることができる。
【００２４】
そして、前記解除ボタンの頭部を押しつつ、前記操作キーをスライド（移動）させることにより、入力操作をすることができる。更に、前記解除ボタンによる押圧状態を解除することにより、前記ロックバネ全体を前記部品ベースから離れるように弾性変形させて、前記スイッチ作動部材に対する元の位置に復帰させる。これにより、前記ロック用係合部を所定の前記ロック用被係合部に係合させて、前記操作キーを前記カバーに対してスライド不能（移動不能）なロック状態にすることができる。
【００２５】
ここで、前記カバーには、前記挿通長穴及び複数の前記ロック用被係合部が形成されてあって、前記ロックバネ全体が弾性変形可能に構成され、前記ロックバネが前記被押圧片及び前記ロック用係合部を有しているため、前記電子入力部品は前記解除ボタンの他に前記ロックバネを具備すれば、前述のように前記操作キーをロック状態・フリー状態にすることができる。
【００２６】
請求項４に記載の発明にあっては、請求項３に記載の発明特定事項の他に、前記カバーの表面に前記ガイド長穴に沿って並んだ複数のクリック用被遊嵌部が形成されてあって、
前記操作キーに設けられ、前記クリック用遊嵌部に弾性変形によって遊嵌・離脱可能なクリック用遊嵌突起を備えたクリック作動部材を具備し、
更に、前記クリック用遊嵌突起がいずれかの前記クリック用被遊嵌部に遊嵌したときに前記前記ロック用係合部がいずれかの前記ロック用被係合部に係合できるように構成されたことを特徴とする。
【００２７】
請求項４に記載の発明特定事項によると、請求項３に記載の発明特定事項による作用の他に、前記解除ボタンの頭部を押しつつ、前記操作キーを移動させることにより、前記クリック作動部材が一体的に移動して、前記クリック用遊嵌突起が弾性変形しつつ所定の前記クリック用被遊嵌部に遊嵌する。これにより、前記電子入力部品によって入力操作を行う際にクリック感を得ることができる。
【００２８】
請求項５に記載の発明にあっては、請求項１から請求項４のうちのいずれかの請求項に記載の発明特定事項の他に、前記ロックバネの中央部に、前記カバーの裏面側に向かって突出するように段付き状に構成された係合片を有してあって、
前記係合片に前記ロック用被係合部が形成され、前記係合片の先端部に前記被押圧片が一体形成されていることを特徴とする。
【００２９】
請求項５に記載の発明特定事項によると、請求項１から請求項４のうちのいずれかの請求項に記載の発明特定事項による作用の他に、前記係合片は前記カバーの裏面側に向かって突出するように段付き状に構成されているため、前記ロックバネ全体の弾性変形量が小さくても、前記ロック用係合部を前記ロック用被係合部から容易に離脱させることができる。また、前記係合片の先端部に前記被押圧片が一体形成されているため、前記解除ボタンの頭部を押しによって、前記ロック用係合穴を前記ロック用被係合部から応答性良く離脱させることができる。
【００３０】
請求項６に記載の発明にあっては、請求項１から請求項５のうちのいずれかの請求項に記載の発明特定事項の他に、前記クリック用被係合部はロック用被係合ボスであって、前記クリック用係合部はロック用係合穴であることを特徴とする。
【００３１】
請求項６に記載の発明特定事項によると、請求項１から請求項５のうちのいずれかの請求項に記載の発明特定事項による作用と同様の作用を奏する。
【００３２】
請求項７に記載の発明にあっては、請求項１から請求項６のうちのいずれかの請求項に記載の発明特定事項の他に、前記部品ベースに設けられ、スイッチパターンを有した配線板と、
前記脚部に一体的に設けられ、前記カバー内に位置してあって、前記スイッチパターン上を摺動可能な摺動端子を有したスイッチ作動部材と、を具備したことを特徴とする。
【００３３】
請求項７に記載の発明特定事項によると、請求項１から請求項６のうちのいずれかの請求項に記載の発明特定事項による作用の他に、前記操作つまみ又は前記操作キーを回転又はスライドさせることにより、前記スイッチ作動部材が前記操作つまみと一体的に回転又はスライドして、前記摺動端子が前記スイッチパターン上を摺動する。これにより、前記スイッチパターンと前記摺動端子との電気的な接続状態を切り替わって、スイッチ操作をすることができる。
【発明の効果】
【００３４】
請求項１、請求項２、請求項５から請求項７のうちのいずれかの請求項に記載の発明によれば、前記電子入力部品は前記解除ボタンの他に前記ロックバネを具備すれば、前記操作つまみをロック状態・フリー状態にすることができるため、前記電子入力部品の構成部材を減らして、前記電子入力部品の構成の簡略化を図ると共に、前記電子入力部品の生産性の向上を図ることができる。
【００３５】
請求項３、請求項４から請求項７のうちのいずれかの請求項に記載の発明によれば、前記電子入力部品は前記解除ボタンの他に前記ロックバネを具備すれば、前記操作つまみをロック状態・フリー状態にすることができるため、前記電子入力部品の構成部材を減らして、前記電子入力部品の構成の簡略化を図ると共に、前記電子入力部品の生産性の向上を図ることができる。
【００３６】
請求項５から請求項６のうちのいずれかの請求項に記載の発明によれば、前述の効果の他に、前記ロックバネ全体の弾性変形量が小さくても、前記ロック用係合穴を前記ロック用被係合ボスから容易に離脱させることができると共に、前記解除ボタンの頭部を押しによって、前記ロック用係合穴を前記ロック用被係合ボスから応答性良く離脱させることができるため、前記電子入力部品の操作性を高めて、前記電子入力部品の品質の向上を図ることができる。
【発明を実施するための最良の形態】
【００３７】
第１の本発明の最良の形態ついて図１から図６を参照して説明する。
【００３８】
図１は、図３におけるI-I線に沿った図であって、図２は、図３におけるII-II線に沿った図であって、図３は、第１の発明の最良の形態に係わる電子入力部品の平面図であって、図４は、部品ベースを除いた第１の発明の最良の形態に係わる電子入力部品の裏側からみた図であって、図５は、第１の発明の最良の形態に係わるカバーの平面図であって、図６は、第１の発明の最良の形態に係わるフレキシブルプリント回路基板を示す図である。なお、「前後」とは、特許公報掲載時の図面の向きを基準として、図１から図５において右左のことをいう。
【００３９】
図３に示すように、第１の発明の最良の形態に係わる電子入力部品１は、ビデオカメラ、デジタルカメラ等の電気機器に用いられ、かつスイッチ操作（入力操作の一つ）をするための部品である。
【００４０】
図３及び図６に示すように、電子入力部品１は板状の部品ベース３を具備しており、この部品ベース３は金属からなるものである。また、部品ベース３には、フレキシブルプリント回路基板５が設けられており、フレキシブルプリント回路基板５には、導電性の第１スイッチパターン７、導電性の第２スイッチパターン９、及び導電性の第３スイッチパターン１１を有している。
【００４１】
部品ベース３には、フレキシブルプリント回路基板５の一部を覆うカバー１３が一体的に設けられており、このカバー１３は樹脂からなるものである。なお、カバー１３が部品ベース３に熱カシメにより設けられることによって、フレキシブルプリント回路基板５も部品ベース３に一体的に設けられるようになっている。また、部品ベース３は、カバー１３と熱カシメを行うための複数の穴（図示省略）を有している。
【００４２】
図１、図２、及び図４に示すように、カバー１３の表面には、円弧状の一対の第１ガイド長穴１５が貫通して形成されており、一対の第１ガイド長穴１５は対称関係になるように離隔してある。また、カバー１３の表面には、第１ガイド長穴１５の曲率半径よりも長い曲率半径で第２ガイド長穴１７の曲率中心と同じ曲率中心を基点とした円弧状の一対の第２ガイド長穴１７が貫通して形成されており、一対の第２ガイド長穴１７は対称関係になるように離隔してある。なお、カバー１３の表面における一方の第１ガイド長穴１５と一方の第２ガイド長穴１７の間、及びカバー１３の表面における他方の第１ガイド長穴１５と他方の第２ガイド長穴１７の間には、カバー１３から上方向へ延びる仕切壁１９がそれぞれ形成されている。
【００４３】
カバー１３の表面における一対の第１ガイド長穴１５の間には、挿通穴２１が形成されており、カバー１３の表面における挿通穴２１の前側には、前記同じ曲率中心を基点とした円弧状の挿通長穴２３が貫通して形成されている。また、カバー１３の裏面には、挿通長穴２３に沿った複数のロック用被係合ボス２５が形成されており、カバー１３の表面には、前記同じ曲率中心を基点として円弧状に並んだ複数のクリック用被遊嵌穴２７が貫通して形成されている。更に、カバー１３の表面には、円弧状の複数のレール部２９を有している。
【００４４】
図１から図３に示すように、カバー１３には、リング状の第１操作つまみ３１が回転可能（回転中心は第１ガイド長穴１５の曲率中心と同じ点）に設けられており、この第１操作つまみ３１は樹脂からなるものである。また、第１操作つまみ３１の裏側には、一対の第１ガイド長穴１５にそれぞれ案内される一対の第１脚部３３を有してあって、第１操作つまみ３１がカバー１３の表面に局部的に接触するように、第１操作つまみ３１の裏側における第１脚部３３の外側には、カバー１３の表面に局部的に接触する円弧状のフランジ部３５を有している。
【００４５】
一対の第１脚部３３には、略丸形の第１スイッチ作動部材３７が一体的に設けられており、この第１スイッチ作動部材３７は樹脂からなるものであって、第１スイッチ作動部材３７の一部はカバー１３内に位置してある。また、第１スイッチ作動部材３７の中央部には、挿通長穴２３に挿通した筒状の支持部３９を有してあって、第１スイッチ作動部材３７がカバー１３の裏面に局部的に接触するように、第１スイッチ作動部材３７の表側には、カバー１３の裏面に局部的に接触する円弧状のフランジ部４１を有している。更に、第１スイッチ作動部材３７の裏側には、第１スイッチパターン７上を摺動可能な金属製の第１摺動端子４３を有している。
【００４６】
なお、支持部３９には、ねじりコイルスプリング４５が設けられており、このねじりコイルスプリング４５は、第１操作つまみ３１が中立位置にから回転したときに第１つまみ３１を前記中立位置に復帰させるように付勢するものである。
【００４７】
図１及び図２に示すように、カバー１３には、リング状の円弧状の第２操作つまみ４７が回転可能（回転中心は第１ガイド長穴１５の曲率中心と同じ点）に設けられており、この第２操作つまみ４７は、第１操作つまみ３１の外側に位置してあって、樹脂からなるものである。また、第２操作つまみ４７の裏側には、一対の第２ガイド長穴１７にそれぞれ案内される一対の第２脚部４９を有してあって、第２操作つまみ４７がカバー１３の表面に局部的に接触するように、第２操作つまみ４７の裏側における第２脚部４９の外側には、レール部２９に接触する（換言すればカバー１３の表面に局部的に接触する）フランジ部５１を有している。更に、第２操作つまみ４７が第１操作つまみ３１の裏面に局部的に接触するように、第２操作つまみ４７には、上方向へ突出したリング状のレール部５３が形成されている。そして、第２操作つまみ４７の縁側には、ボタン収容部５５を有してあって、第２操作つまみ４７の裏面におけるボタン収容部５５の反対側には、逃げ凹部５７が形成されている。
【００４８】
図１、図２、及び図４に示すように、一対の第２脚部４９には、円弧状の第２スイッチ作動部材５９が一体的に設けられており、この第２スイッチ作動部材５９は、カバー１３内における第１スイッチ作動部材３７の外側に位置してあって、樹脂からなるものである。また、第２スイッチ作動部材５９はカバー１３の裏面に局部的に接触するように、第１スイッチ作動部材３７の表側には、カバー１３の裏面に局部的に接触するフランジ部６１を有している。更に、第２スイッチ作動部材５９の裏側には、第２スイッチパターン９上を摺動可能な金属製の第２摺動端子６３を有している。
【００４９】
第２操作つまみ４７には、クリック作動部材６５が設けられており、このクリック作動部材６５は金属板からなるものである。また、クリック作動部材６５の中央部には、弾性変形によってクリック用被遊嵌穴２７に遊嵌・離脱可能なクリック用遊嵌突起６７を有している。ここで、クリック用遊嵌突起６７がクリック用被遊嵌穴２７から離脱するときに、クリック作動部材６５の一部（クリック用遊嵌突起６７の近傍部）は逃げ凹部５７内に逃げる（進入する）ように構成されている。なお、第１の発明の最良の形態にあっては、クリック作動部材６５全体が弾性変形するものであるが、クリック用遊嵌突起６７のみが弾性変形するようにしてもよい。
【００５０】
一方の第２脚部４９には、ロックバネ６９の一端部が一体的に連結されており、他方の第２脚部４９には、ロックバネ６９の他端部が一体的に連結されている。ここで、ロックバネ６９は金属板からなるものであって、ロックバネ６９全体が弾性変形可能になるように構成されている。
【００５１】
ロックバネ６９の中央部には、係合片７１を有してあって、この係合片７１はカバー１３の裏面側に向かって突出するように段付き状に構成されてあって、係合片７１には、ロック用被係合ボス２５に係合・離脱可能なロック用係合穴７３が貫通して形成されている。なお、第１の発明の最良の形態にあっては、ロック用係合穴７３は貫通して形成されているが、ロック用係合穴７３は必ずしも貫通して形成される必要はない。また、係合片７１の先端部には、被押圧片７５が一体形成されてあって、この被押圧片７５には、連結穴７７が形成されている。ここで、クリック用遊嵌突起６７がいずれかのクリック用被遊嵌穴２７に遊嵌したときにロック用係合穴７３がいずれかのロック用被係合ボス２５に係合できるように構成されている。
【００５２】
ボタン収容部５５には、被押圧片７５を部品ベース３側へ押圧する解除ボタン７９が収容されており、この解除ボタン７９は樹脂からなるものである。そして、解除ボタン７９の基端部は連結穴７７を介して被押圧片７５に連結されてあって、解除ボタン７９の頭部はボタン収容部５５から突出してある。
【００５３】
図１、図２、及び図６に示すように、フレキシブルプリント回路基板５には、ドーム状の第３スイッチ作動部材８１が設けられており、この第３スイッチ作動部材８１はカバー１３内に位置してある。また、第３スイッチ作動部材８１の頂部は弾性変形によって反転復帰可能に構成されてあって、第３スイッチ作動部材８１は第３スイッチパターン１１に接触可能な接触端子８３を有している。
【００５４】
第２操作つまみ３１の中央部には、第３スイッチ作動部材８１の頂部を反転動作させる操作ボタン８５が離脱不能に保持されており、この操作ボタン８５は樹脂からなるものである。また、操作ボタン８５は、ガイド部３９内に挿通して（換言すればガイド部３９を介して挿通穴２１に挿通して）第３スイッチ作動部材８１の頂部に接触するロッド部８７を有している。更に、操作ボタン８５を離脱不能にするため、操作ボタン８５の外周部には、第１操作つまみ３１の開口部３１Ｈの周縁部に下方向から突き当たり可能なフランジ状のストッパ８８が形成されている。
【００５５】
前述の電子入力部品１の発明特定事項に基づいて、第１の発明の最良の形態の作用について説明する。
【００５６】
第１操作つまみ３１等を動作させて、第１種のスイッチ操作等をする場合は、次のように行う。
【００５７】
即ち、第１操作つまみ３１を押さえつつ、ねじりコイルスプリング４５の付勢力に抗して前記中立位置から回転させることにより、第１スイッチ作動部材３７が第１操作つまみ３１と一体的に回転して、第１摺動端子４３が第１スイッチパターン７上を摺動する。これにより、第１スイッチパターン７と第１摺動端子４３との電気的な接続状態を切り替わって、第１種のスイッチ操作をすることができる。
【００５８】
なお、第１操作つまみ３１の押え状態を解除すると、第１操作つまみ３１はねじりコイルスプリング４５の付勢力によって回転させて、前記中立位置に復帰させるこができる。
【００５９】
第２操作つまみ４７等を動作させて、第２種のスイッチ操作等をする場合は、次のように行う。
【００６０】
即ち、解除ボタン７９の頭部を押して、解除ボタン７９により被押圧片７５を部品ベース３側へ押圧することにより、ロックバネ４５全体を部品ベース３側へ弾性変形させる。これにより、ロック用係合穴７３を適宜のロック用被係合ボス２５から離脱させて、第２操作つまみ４７のロック状態を解除して、第２操作つまみ４７をカバーに対して回転可能なフリー状態にすることができる。
【００６１】
ここで、係合片７１はカバー１３の裏面側に向かって突出するように段付き状に構成されているため、ロックバネ６９全体の弾性変形量が小さくても、ロック用係合穴７３をロック用被係合ボス２５から容易に離脱させることができる。また、係合片７１の先端部に被押圧片７５が一体形成されているため、解除ボタン７９の頭部を押しによって、ロック用係合穴７３をロック用被係合ボス２５から応答性良く離脱させることができる。
【００６２】
そして、解除ボタン７９の頭部を押しつつ、第２操作つまみ４７を回転させることにより、クリック作動部材６５が一体的に回転して、クリック用遊嵌突起６７が弾性変形しつつ所定のクリック用被遊嵌穴２７に遊嵌すると共に、第２スイッチ作動部材５９が第２操作つまみ４７と一体的に回転して、第２摺動端子６３が第２スイッチパターン９上を摺動する。これにより、クリック感を得ながら、第２スイッチパターン９と第２摺動端子６３との電気的な接続状態を切り替わって、第２種のスイッチ操作（入力操作の一つ）をすることができる。
【００６３】
更に、クリック用遊嵌突起６７が所定のクリック用被遊嵌穴２７に遊嵌した状態の下で、解除ボタン７９による押圧状態を解除することにより、ロックバネ６９全体を部品ベース３から離れるように弾性変形させて、第２スイッチ作動部材５９に対する元の位置に復帰させる。これにより、ロック用係合穴７３を所定のロック用被係合ボス２５に係合させて、第２操作つまみ４７をカバー１３に対して回転不能なロック状態にすることができる。
【００６４】
ここで、カバー１３には、挿通長穴２３及び複数のロック用被係合ボス２５が形成されてあって、ロックバネ６９全体が弾性変形可能に構成され、ロックバネ６９が被押圧片７５及びロック用係合穴７３を有しているため、電子入力部品１は解除ボタン７９の他にロックバネ６９を具備すれば、前述のように第２操作つまみ４７をロック状態・フリー状態にすることができる。
【００６５】
操作ボタン８５等を動作させて、第３種のスイッチ操作等をする場合は、次のように行う。
【００６６】
即ち、操作ボタン８５の頭部を押さえて、操作ボタン８５により第３スイッチ作動部材８１の頂部を弾性変形によって反転動作させることにより、接触端子８３が第３スイッチパターン１１に接触する。これにより、第３スイッチパターン１１と接触端子８３との電気的な接続状態がＯＦＦからＯＮに切り替わる。
【００６７】
また、操作ボタン８５の押え状態を解除して、第３スイッチ作動部材８１の頂部を弾性変形によって復帰動作させることにより、接触端子８３が第３スイッチパターン１１から離れる。これにより、第３スイッチパターン１１と接触端子８３との電気的な接続状態がＯＮからＯＦＦに切り替わる。
【００６８】
以上の如き、第１の発明の最良の形態によれば、電子入力部品１は解除ボタン７９の他にロックバネ６９を具備すれば、第２操作つまみ４７をロック状態・フリー状態にすることができるため、電子入力部品１の構成部材を減らして、電子入力部品１の構成の簡略化を図ると共に、電子入力部品１の生産性の向上を図ることができる。
【００６９】
また、ロックバネ６９全体の弾性変形量が小さくても、ロック用係合穴７３をロック用被係合ボス２５から容易に離脱させることができると共に、解除ボタン７９の頭部を押しによって、ロック用係合穴７３をロック用被係合ボス２５から応答性良く離脱させることができるため、電子入力部品１の操作性を高めて、電子入力部品１の品質の向上を図ることができる。
【００７０】
次に、第２の発明の最良の形態について図７から図９を参照して説明する。
【００７１】
図７は、図８におけるIII-III線に沿った図であって、図８は、第２の発明の最良の形態に係わる電子入力部品の平面図であって、図９は、第２の発明の最良の形態に係わるフレキシブルプリント回路基板を示す図である。なお、「前後」とは、特許公報掲載時の図面の向きを基準として、図７及び図８において右左のことをいう。
【００７２】
図７から図９に示すように、第２の発明の最良の形態に係わる電子入力部品８９は、第１の発明の最良の形態に係わる電子入力部品１と同様に、ビデオカメラ、デジタルカメラ等の電気機器に用いられ、かつスイッチ操作をするための部品である。
【００７３】
電子入力部品８９は板状の部品ベース９１を具備しており、この部品ベース９１は金属からなるものである。また、部品ベース９１には、フレキシブルプリント回路基板９３が設けられており、フレキシブルプリント回路基板９３には、導電性のスイッチパターン９５を有している。
【００７４】
図７及び図８に示すように、部品ベース９１には、フレキシブルプリント回路基板９３の一部を覆うカバー９７が一体的に設けられており、このカバー９７は樹脂からなるものである。なお、カバー９７が部品ベース９１に熱カシメにより設けられることによって、フレキシブルプリント回路基板９３も部品ベース９１に一体的に設けられるようになっている。また、部品ベース９１は、カバー９７と熱カシメを行うための複数の穴（図示省略）を有している。
【００７５】
カバー９７の表面には、ガイド長穴９９が貫通して形成されており、カバー９７の表面には、ガイド長穴９９に平行な挿通長穴１０１が貫通して形成されている。また、カバー９７の裏面には、挿通長穴１０１に沿って並んだ複数のロック用被係合ボス１０３が形成されており、カバー９７の表面には、ガイド長穴９９に沿って並んだ複数のクリック用被遊嵌穴１０５が貫通して形成されている。
【００７６】
カバー９７には、操作キー１０７がガイド長穴９９に沿って前後方向へスライド可能（移動可能）に設けられており、この操作キー１０７は樹脂からなるものである。また、操作キー１０７の裏側には、ガイド長穴９９にそれぞれ案内される脚部１０９を有してあって、操作キー１０７がカバー９７の表面に局部的に接触するように、操作キー１０７の裏側には、カバー９７の表面に局部的に接触する一対のフランジ部１１１を有している。更に、操作キーの前端側には、ボタン収容部１１１を有してあって、操作キー１０７の裏面におけるボタン収容部１１１の反対側には、逃げ凹部１１５が形成されている。
【００７７】
脚部１０９には、スイッチ作動部材１１７が一体的に設けられており、このスイッチ作動部材１１７はカバー９７内に位置してあって、樹脂からなるものである。また、スイッチ作動部材１１７はカバー９７の裏面に局部的に接触するように、スイッチ作動部材１１７の表側には、カバー９７の裏面に局部的に接触する一対のフランジ部１１９を有している。更に、スイッチ作動部材１１７の裏側には、スイッチパターン９５上を摺動可能な金属製の摺動端子１２１を有している。
【００７８】
操作キー１０７には、クリック作動部材１２３が設けられており、このクリック作動部材１２３は金属板からなるものである。また、クリック作動部材１２３の中央部には、弾性変形によってクリック用被遊嵌穴１０５に遊嵌・離脱可能なクリック用遊嵌突起１２５を有している。ここで、クリック用遊嵌突起１２５がクリック用被遊嵌穴１０５から離脱するときに、クリック作動部材１２３の一部（クリック用遊嵌突起１２５の近傍部）は逃げ凹部１１５内に逃げる（進入する）ように構成されている。なお、第２の発明の最良の形態にあっては、クリック作動部材１２３全体が弾性変形するものであるが、クリック用遊嵌突起１２５のみが弾性変形するようにしてもよい。
【００７９】
スイッチ作動部材１１７には、コの字形状のロックバネ１２７の両端部が一体的に連結されている。ここで、ロックバネは金属板からなるものであって、ロックバネ全体が弾性変形可能になるように構成されている。なお、スイッチ作動部材１１７の代わりに脚部１０９にロックバネ１２７の両端部が一体的に連結されるようにしてもよい。
【００８０】
ロックバネ１２７の中央部には、係合片１２９を有してあって、この係合片１２９はカバー９７の裏面側に向かって突出するように段付き状に構成されてあって、係合片１２９には、ロック用被係合ボス１０３に係合・離脱可能なロック用係合穴１３１が貫通して形成されている。なお、第２の発明の最良の形態にあっては、ロック用係合穴１３１は貫通して形成されているが、ロック用係合穴１３１は必ずしも貫通して形成される必要はない。また、係合片１２９の先端部には、被押圧片１３３が一体形成されてあって、この被押圧片１３３には、連結穴１３５が形成されている。ここで、クリック用遊嵌突起１２５がいずれかのクリック用被遊嵌穴１０５に遊嵌したときにロック用係合穴１３１がいずれかのロック用被係合ボス１０３に係合できるように構成されている。
【００８１】
ボタン収容部１１１には、被押圧片１３３を部品ベース９１側へ押圧する解除ボタン１３７が収容されており、この解除ボタン１３７は樹脂からなるものである。そして、解除ボタン１３７の基端部は連結穴１３５を介して被押圧片１３３に連結されてあって、解除ボタン１３７の頭部はボタン収容部１１１から突出してある。
【００８２】
前述の電子入力部品８９の発明特定事項に基づいて、第２の発明の最良の形態の作用について説明する。
【００８３】
即ち、解除ボタン１３７の頭部を押して、解除ボタン１３７により被押圧片１３３を部品ベース９１側へ押圧することにより、ロックバネ１２７全体を部品ベース９１側へ弾性変形させる。これにより、ロック用係合穴１３１を適宜のロック用被係合ボス１０３から離脱させて、操作キー１０７のロック状態を解除して、操作キー１０７をカバー９７に対してスライド可能（移動可能）なフリー状態にすることができる。
【００８４】
ここで、係合片１２９はカバー９７の裏面側に向かって突出するように段付き状に構成されているため、ロックバネ１２７全体の弾性変形量が小さくても、ロック用係合穴１３１をロック用被係合ボス１０３から容易に離脱させることができる。また、係合片１２９の先端部に被押圧片７５が一体形成されているため、解除ボタン７９の頭部を押しによって、ロック用係合穴７３をロック用被係合ボス２５から応答性良く離脱させることができる。
【００８５】
そして、解除ボタン１３７の頭部を押しつつ、操作キー１０７をスライドさせることにより、クリック作動部材１２３が一体的にスライドして、クリック用遊嵌突起１２５が弾性変形しつつ所定のクリック用被遊嵌穴１０５に遊嵌すると共に、スイッチ作動部材１１７が操作キー１０７と一体的に移動して、摺動端子１２１がスイッチパターン９５上を摺動する。これにより、クリック感を得ながら、スイッチパターン９５と摺動端子１２１との電気的な接続状態を切り替わって、スイッチ操作（入力操作の一つ）をすることができる。
【００８６】
更に、クリック用遊嵌突起１２５が所定のクリック用被遊嵌穴１０５に遊嵌した状態の下で、解除ボタン１３７による押圧状態を解除することにより、ロックバネ１２９全体を部品ベース９１から離れるように弾性変形させて、スイッチ作動部材１１７に対する元の位置に復帰させる。これにより、ロック用係合穴１３１を所定のロック用被係合ボス１０３に係合させて、操作キー１０７をカバー９７に対してスライド不能（移動不能）なロック状態にすることができる。
【００８７】
ここで、カバー９７には、挿通長穴１０１及び複数のロック用被係合ボス１０３が形成されてあって、ロックバネ１２７全体が弾性変形可能に構成され、ロックバネ１２７が被押圧片１３３及びロック用係合穴１３１を有しているため、電子入力部品８９は解除ボタン１３７の他にロックバネ１２７を具備すれば、前述のように操作キー１０７をロック状態・フリー状態にすることができる。
【００８８】
以上の如き、第２の発明の最良の形態によれば、電子入力部品８９は解除ボタン１３７の他にロックバネ１２７を具備すれば、操作キー１０７をロック状態・フリー状態にすることができるため、電子入力部品８９の構成部材を減らして、電子入力部品８９の構成の簡略化を図ると共に、電子入力部品８９の生産性の向上を図ることができる。
【００８９】
また、ロックバネ１２７全体の弾性変形量が小さくても、ロック用係合穴１３１をロック用被係合ボス１０３から容易に離脱させることができると共に、解除ボタン７９の頭部を押しによって、ロック用係合穴７３をロック用被係合ボス２５から応答性良く離脱させることができるため、電子入力部品８９の操作性を高めて、電子入力部品８９の品質の向上を図ることができる。
【００９０】
なお、本発明は、前述の発明の最良の形態の説明に限るものではなく、適宜の変更を行うことにより、その他種々の態様で実施可能である。
【図面の簡単な説明】
【００９１】
【図１】図３におけるI-I線に沿った図である。
【図２】図３におけるII-II線に沿った図である。
【図３】第１の発明の最良の形態に係わる電子入力部品の平面図である。
【図４】部品ベースを除いた第１の発明の最良の形態に係わる電子入力部品の裏側からみた図である。
【図５】第１の発明の最良の形態に係わるカバーの平面図である。
【図６】第１の発明の最良の形態に係わるフレキシブルプリント回路基板を示す図である。
【図７】図８におけるIII-III線に沿った図である。
【図８】第２の発明の最良の形態に係わる電子入力部品の平面図である。
【図９】第２の発明の最良の形態に係わるフレキシブルプリント回路基板を示す図である。
【図１０】従来の電子入力部品の模式的な断面図である。
【図１１】図１０における矢視部IVの拡大図である。
【符号の説明】
【００９２】
１          電子入力部品
３          部品ベース
５          フレキシブルプリント回路基板
９          第２スイッチパターン
１３          カバー
１７          第２ガイド長穴
２３          挿入長穴
２５          ロック用被係合ボス
５９          第２スイッチ作動部材
６３          摺動端子
６５          クリック作動部材
６７          クリック用遊嵌突起
６９          ロックバネ
７１          係合片
７３          ロック用係合穴
７５          被押圧片
７９          解除ボタン
８９          電子入力部品
９１          部品ベース
９３          フレキシブルプリント回路基板
９５          スイッチパターン
９７          カバー
９９          ガイド長穴
１０１          挿通長穴
１０３          ロック用被係合ボス
１０５          クリック用被遊嵌穴
１０７          操作キー
１１７          スイッチ作動部材
１２３          クリック作動部材
１２５          クリック用遊嵌突起
１２７          ロックバネ
１２９          係合片
１３１          ロック用係合穴
１３３          被押圧片
【図１】
2005123019.tif 000003
【図２】
2005123019.tif 000004
【図３】
2005123019.tif 000005
【図４】
2005123019.tif 000006
【図５】
2005123019.tif 000007
【図６】
2005123019.tif 000008
【図７】
2005123019.tif 000009
【図８】
2005123019.tif 000010
【図９】
2005123019.tif 000011
【図１０】
2005123019.tif 000012
【図１１】
2005123019.tif 000013